(57)【要約】【課題】音声通話の録音を実現しつつ着信側の端末において発信側のユーザを識別することを可能にすること。【解決手段】自装置で着信を受ける電話番号である中継用電話番号宛の発呼信号が発信端末から受信されると、前記中継用電話番号が予め対応付けられている着信端末に対して、前記発信端末の識別情報を含むメッセージを送信するメッセージ制御部と、前記着信端末から発呼信号が受信されると、前記発信端末と前記着信端末との間で呼を確立する中継制御部と、を備える中継装置である。【選択図】図１
2018026770.tif 000002
【特許請求の範囲】
【請求項１】
自装置で着信を受ける電話番号である中継用電話番号宛の発呼信号が発信端末から受信されると、前記中継用電話番号が予め対応付けられている着信端末に対して、前記発信端末の識別情報を含むメッセージを送信するメッセージ制御部と、
前記着信端末から発呼信号が受信されると、前記発信端末と前記着信端末との間で呼を確立する中継制御部と、
を備える中継装置。
【請求項２】
前記メッセージは、前記電話番号に対して発呼する操作を受け付ける操作部を前記着信端末において画面に表示することを示す制御情報を含む、請求項１に記載の中継装置。
【請求項３】
前記メッセージ制御部は、前記メッセージをＳＭＳ（Short Message Service）のプロトコルで送信する、請求項１又は２に記載の中継装置。
【請求項４】
中継装置と、着信端末と、を備える通話システムであって、
前記中継装置は、
自装置で着信を受ける電話番号である中継用電話番号宛の発呼信号が発信端末から受信されると、前記中継用電話番号が予め対応付けられている着信端末に対して、前記発信端末の識別情報を含むメッセージを送信するメッセージ制御部と、
前記着信端末から発呼信号が受信されると、前記発信端末と前記着信端末との間で呼を確立する中継制御部と、
を備え、
前記着信端末は、
前記中継装置から送信されたメッセージの内容を表示するメッセージ表示部と、
前記メッセージに応じたユーザの操作に応じて、前記中継装置に対して発呼信号を送信する通信制御部と、
を備える、通話システム。
【請求項５】
前記発信端末と前記着信端末との間で確立された呼における通話の音声を録音する録音部を備える録音装置をさらに備える、請求項４に記載の通話システム。
【請求項６】
自装置で着信を受ける電話番号である中継用電話番号宛の発呼信号が発信端末から受信されると、前記中継用電話番号が予め対応付けられている着信端末に対して、前記発信端末の識別情報を含むメッセージを送信するメッセージ制御ステップと、
前記着信端末から発呼信号が受信されると、前記発信端末と前記着信端末との間で呼を確立する中継制御ステップと、
を有する制御方法。
【請求項７】
自装置で着信を受ける電話番号である中継用電話番号宛の発呼信号が発信端末から受信されると、前記中継用電話番号が予め対応付けられている着信端末に対して、前記発信端末の識別情報を含むメッセージを送信するメッセージ制御ステップと、
前記着信端末から発呼信号が受信されると、前記発信端末と前記着信端末との間で呼を確立する中継制御ステップと、
をコンピュータに実行させるためのコンピュータプログラム。
【発明の詳細な説明】
【技術分野】
【０００１】
本発明は、音声通話の呼の中継技術に関する。
【背景技術】
【０００２】
近年、音声通話の録音を行うための技術が提案されている。例えば、通話を一度センターで受話し所定の端末に通話を中継する方式（例えば特許文献１参照。）を、着信及び発信の全ての通話に適用することが行われている。このような処理によって、センターにおいて通話録音をシステム的に実現することが可能である。
【先行技術文献】
【特許文献】
【０００３】
【特許文献１】特開平４−０８７４４３号公報
【発明の概要】
【発明が解決しようとする課題】
【０００４】
しかしながら、このような技術では、発信元の電話番号を中継先となる端末（着信側の端末）に対して通知することができない。このような場合、着信側の端末のユーザは、受話時点ではどこからかかってきた電話であるかを判断することができない。そのため、着信側の端末のユーザは、着信があった際に受話するか否かを判別することが困難である。
【０００５】
上記事情に鑑み、本発明は、音声通話の録音を実現しつつ着信側の端末において発信側のユーザを識別することを可能にする技術の提供を目的としている。
【課題を解決するための手段】
【０００６】
本発明の一態様は、自装置で着信を受ける電話番号である中継用電話番号宛の発呼信号が発信端末から受信されると、前記中継用電話番号が予め対応付けられている着信端末に対して、前記発信端末の識別情報を含むメッセージを送信するメッセージ制御部と、前記着信端末から発呼信号が受信されると、前記発信端末と前記着信端末との間で呼を確立する中継制御部と、を備える中継装置である。
【０００７】
本発明の一態様は、上記中継装置であって、前記メッセージは、前記電話番号に対して発呼する操作を受け付ける操作部を前記着信端末において画面に表示することを示す制御情報を含む。
【０００８】
本発明の一態様は、上記中継装置であって、前記メッセージ制御部は、前記メッセージをＳＭＳ（Short Message Service）のプロトコルで送信する。
【０００９】
本発明の一態様は、中継装置と、着信端末と、を備える通話システムであって、前記中継装置は、自装置で着信を受ける電話番号である中継用電話番号宛の発呼信号が発信端末から受信されると、前記中継用電話番号が予め対応付けられている着信端末に対して、前記発信端末の識別情報を含むメッセージを送信するメッセージ制御部と、前記着信端末から発呼信号が受信されると、前記発信端末と前記着信端末との間で呼を確立する中継制御部と、を備え、前記着信端末は、前記中継装置から送信されたメッセージの内容を表示するメッセージ表示部と、前記メッセージに応じたユーザの操作に応じて、前記中継装置に対して発呼信号を送信する通信制御部と、を備える、通話システムである。
【００１０】
本発明の一態様は、上記通話システムであって、前記発信端末と前記着信端末との間で確立された呼における通話の音声を録音する録音部を備える録音装置をさらに備える。
【００１１】
本発明の一態様は、自装置で着信を受ける電話番号である中継用電話番号宛の発呼信号が発信端末から受信されると、前記中継用電話番号が予め対応付けられている着信端末に対して、前記発信端末の識別情報を含むメッセージを送信するメッセージ制御ステップと、前記着信端末から発呼信号が受信されると、前記発信端末と前記着信端末との間で呼を確立する中継制御ステップと、を有する制御方法である。
【００１２】
本発明の一態様は、自装置で着信を受ける電話番号である中継用電話番号宛の発呼信号が発信端末から受信されると、前記中継用電話番号が予め対応付けられている着信端末に対して、前記発信端末の識別情報を含むメッセージを送信するメッセージ制御ステップと、前記着信端末から発呼信号が受信されると、前記発信端末と前記着信端末との間で呼を確立する中継制御ステップと、をコンピュータに実行させるためのコンピュータプログラムである。
【発明の効果】
【００１３】
本発明により、音声通話の録音を実現しつつ着信側の端末において発信側のユーザを識別することが可能となる。
【図面の簡単な説明】
【００１４】
【図１】通話システム１００のシステム構成を表す図である。
【図２】録音装置１１の機能構成を示す機能ブロック図である。
【図３】中継装置１２の機能構成を示す機能ブロック図である。
【図４】接続先テーブルの具体例を示す図である。
【図５】メッセージ制御部１２６によって生成された通知メッセージが着信端末５０において表示された場合の表示例を示す図である。
【図６】着信端末５０の機能構成を示す機能ブロック図である。
【図７】通話システム１００の動作の具体例を示すシーケンスチャートである。
【発明を実施するための形態】
【００１５】
図１は、通話システム１００のシステム構成を表す図である。通話システム１００には、発信端末４０（４０−１及び４０−２）が接続される。発信端末４０は、発信側のユーザによって使用される通話端末である。本実施形態では、発信端末４０の具体例として、固定通話端末（４０−１）及び移動体通話端末（４０−２）が示されている。
【００１６】
通話システム１００は、中継システム１０、公衆交換電話網２０、移動体通信網３０及び着信端末５０を備える。中継システム１０は、発信端末４０から発呼信号を受信すると、発信端末４０と着信端末５０との間で通話を中継する。中継システム１０は、発信端末４０と着信端末５０との間で行われる通話の音声を録音する。公衆交換電話網２０は、公衆交換回線で構成される通信網である。移動体通信網３０は、移動体の通信回線で構成される通信網である。固定通話端末４０−１は公衆交換電話網２０に接続される。移動体通話端末４０−２、移動体通話端末５０−１及び移動体通話端末５０−２は移動体通信網３０に接続される。着信端末５０は、着信側のユーザによって使用される通話端末である。本実施形態では、着信端末５０の具体例として移動体通話端末（５０−１及び５０−２）が示されている。
【００１７】
中継システム１０は、録音装置１１及び中継装置１２を備える。録音装置１１は、発信端末４０と着信端末５０との間で行われる通話の音声を録音する。中継装置１２は、発信端末４０から発呼信号を受信すると、発信端末４０と着信端末５０との間で通話を中継する。以下、中継システム１０が備える各装置について詳細に説明する。
【００１８】
図２は、録音装置１１の機能構成を示す機能ブロック図である。録音装置１１は、第一通信部１１１、第二通信部１１２、中継部１１３、記憶部１１４及び録音部１１５を備える。中継部１１３及び録音部１１５の機能は、ＣＰＵ（Central Processing Unit）がプログラムを実行することによって実現される。
【００１９】
なお、中継部１１３及び録音部１１５が実現する各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されてもよい。上述したプログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。上述したプログラムは、電気通信回線を介して送信されてもよい。
【００２０】
第一通信部１１１は、公衆交換電話網２０を介して発信端末４０（４０−１）と通信する。第一通信部１１１は、公衆交換電話網２０及び移動体通信網３０を介して発信端末４０（４０−２）と通信する。
【００２１】
第二通信部１１２は、公衆交換電話網２０及び移動体通信網３０を介して着信端末５０（移動体通話端末５０−１，５０−２）と通信する。
中継部１１３は、発信端末４０及び着信端末５０との間で通話を中継するための処理を行う。
【００２２】
記憶部１１４は、磁気ハードディスク装置や半導体記憶装置等の記憶装置を用いて構成される。記憶部１１４、録音データを記憶する。録音データは、録音された通話の音声を示す音声データと、録音された通話における発信端末４０の識別情報と、録音された通話における着信端末５０の識別情報と、を対応付けて記憶する。発信端末４０及び着信端末５０の識別情報は、例えば電話番号である。発信端末４０及び着信端末５０の識別情報は、例えば電話番号に対して予め対応付けられた各端末のユーザの氏名やユーザの所属先（組織名）であってもよい。
【００２３】
録音部１１５は、中継部１１３によって中継される通話の音声を録音することによって録音データを生成する。録音部１１５は、生成された録音データを、録音された通話における発信端末４０及び着信端末５０の識別情報と対応付けて記憶部１１４に記録する。
【００２４】
図３は、中継装置１２の機能構成を示す機能ブロック図である。中継装置１２は、第一通信部１２１、第二通信部１２２、接続先記憶部１２３、中継制御部１２４、メッセージ記憶部１２５及びメッセージ制御部１２６を備える。中継制御部１２４及びメッセージ制御部１２６の機能は、ＣＰＵがプログラムを実行することによって実現される。
【００２５】
なお、中継制御部１２４及びメッセージ制御部１２６が実現する各機能の全て又は一部は、ＡＳＩＣやＰＬＤやＦＰＧＡ等のハードウェアを用いて実現されてもよい。上述したプログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。上述したプログラムは、電気通信回線を介して送信されてもよい。
【００２６】
第一通信部１２１は、公衆交換電話網２０を介して発信端末４０（４０−１）と通信する。第一通信部１２１は、公衆交換電話網２０及び移動体通信網３０を介して発信端末４０（４０−２）と通信する。
【００２７】
第二通信部１２２は、公衆交換電話網２０及び移動体通信網３０を介して着信端末５０（移動体通話端末５０−１，５０−２）と通信する。
接続先記憶部１２３は、磁気ハードディスク装置や半導体記憶装置等の記憶装置を用いて構成される。接続先記憶部１２３は、接続先テーブルを記憶する。図４は、接続先テーブルの具体例を示す図である。接続先テーブルは、複数の接続先レコード７１を有する。接続先レコード７１は、中継用電話番号及び発番号の値を有する。
【００２８】
中継用電話番号は、中継装置１２において、着信端末５０に対して予め割り当てられた電話番号である。中継用電話番号は、発信端末４０のユーザに対して、上記の着信端末５０の電話番号として知らされている電話番号である。ただし、中継用電話番号は、実際の公衆交換電話網２０及び移動体通信網３０においては、中継装置１２に対して割り当てられている電話番号である。そのため、中継用電話番号に対して発信すると、着信端末５０ではなく中継装置１２に対して発呼される。
【００２９】
発番号は、実際の公衆交換電話網２０及び移動体通信網３０において着信端末５０に対して割り当てられている電話番号である。そのため、発番号に対して発信すると、着信端末５０に対して発呼される。
【００３０】
例えば、中継用電話番号ｎ１１は、発信端末４０のユーザに対して、実際の電話番号がｎ１２である着信端末５０の電話番号であるとして知らされている番号であるが、実際には中継装置１２の電話番号である。そのため、中継用電話番号ｎ１１に対して発信が行われると、実際には中継装置１２に対して発呼が行われる。ただし、後述するように、中継制御部１２４は、接続先レコードを参照することによって、中継用電話番号ｎ１１に対応付けられた電話番号ｎ１２に対して発呼する。そして、中継制御部１２４は、電話番号ｎ１２の着信端末５０と発信端末４０との間で通話を中継する。
【００３１】
図３に戻って説明を続ける。中継制御部１２４は、接続先記憶部１２３に記憶されている接続先テーブルに基づいて、発信端末４０と着信端末５０との間で通話を中継する。
メッセージ記憶部１２５は、磁気ハードディスク装置や半導体記憶装置等の記憶装置を用いて構成される。メッセージ記憶部１２５は、メッセージデータを記憶する。メッセージデータは、発信者電話番号及び中継用電話番号が埋め込まれることによって、着信端末５０のユーザに対して発信端末４０からの発呼に応じることを問い合わせる内容の文言を含む。例えば、メッセージデータは以下のように構成されてもよい。
“（発信者電話番号）から着信です。応じる場合、以下の番号に発信して下さい。（中継用電話番号）”
【００３２】
なお、上記メッセージデータに含まれる（発信者電話番号）の部分には、発信端末４０の電話番号の値が埋め込まれる。また、上記メッセージデータに含まれる（中継用電話番号）の部分には、発信端末４０によって発呼された先の電話番号である中継用電話番号の値が埋め込まれる。
【００３３】
メッセージ制御部１２６は、中継制御部１２４において中継用電話番号及び発番号の対応付けが取得されると、発番号に応じた着信端末５０に対して送信されるメッセージ（以下「通知メッセージ」という。）を生成する。メッセージ制御部１２６は、メッセージ記憶部１２５に記憶されているメッセージデータに基づいて通知メッセージを生成する。メッセージ制御部１２６は、生成された通知メッセージを、電話番号を宛先として送信することが可能なプロトコルを用いて着信端末５０に対して送信する。このようなプロトコルの具体例として、ＳＭＳ（Short Message Service）がある。通知メッセージは制御情報を含む。この制御情報は、例えば着信端末５０において（中継用電話番号）に対して選択操作が行われることによって、（中継用電話番号）へ発呼処理が行われるように制御するための情報であってもよい。
【００３４】
図５は、メッセージ制御部１２６によって生成された通知メッセージが着信端末５０（移動体通話端末５０−１，５０−２）において表示された場合の表示例を示す図である。図５において、発信者電話番号として“０８０−ＸＸＸＸ−ＹＹＹＹ”が埋め込まれており、中継用電話番号として“０３−ＡＡＡＡ−ＢＢＢＢ”が埋め込まれている。中継用電話番号の“０３−ＡＡＡＡ−ＢＢＢＢ”には、制御情報に応じてリンクが設けられている。このリンクは、選択操作されることによって、中継用電話番号（中継装置１２の電話番号）に対して発呼が行われることを示すリンクである。この発呼において、発信者電話番号に対して通話の接続を行うことを中継装置１２に指示するための制御情報が、発呼先である中継装置１２に送信されてもよい。このような制御情報を送信することについては、メッセージ制御部１２６が生成する通知メッセージに制御情報として含められてもよい。
【００３５】
図６は、着信端末５０の機能構成を示す機能ブロック図である。着信端末５０は、通信部５１、表示部５２及び制御部５３を備える。制御部５３の機能は、ＣＰＵがプログラムを実行することによって実現される。
通信部５１は、移動体通信網３０を介して他の装置と通信する。
表示部５２は、液晶ディスプレイ、有機ＥＬ（Electro Luminescence）ディスプレイ等の画像表示装置である。
制御部５３は、着信端末５０を制御する。例えば、制御部５３は、中継装置１２から通知メッセージが受信されると、受信された通知メッセージの内容を表示部５２に表示させる。例えば、制御部５３は、通知メッセージの内容に応じてユーザによって中継装置１２に対する発呼が指示されると、中継装置１２に対して発呼信号を送信する。
【００３６】
図７は、通話システム１００の動作の具体例を示すシーケンスチャートである。まず、発信端末４０においてユーザが中継用電話番号への発呼指示を行う（ステップＳ１０１）。このとき、ユーザは着信端末５０へ発呼することを意識して発呼指示を行うが、実際には中継用電話番号が指示されるため中継装置１２に対する発呼指示が実行される。発信端末４０は、指定された中継用電話番号に対して発呼信号を送信する（ステップＳ１０２）。発呼信号の具体例として、INVITE信号がある。
【００３７】
中継装置１２は、発信端末４０から発呼信号を受信すると、受信された発呼信号に応じて呼処理を行う（ステップＳ１０３）。中継装置１２において実行される呼処理は、発呼信号の送信元である発信端末４０と自装置との間で呼を確立するための処理である。呼処理の具体例として、受信されたINVITE信号に応じて100Trying信号、180Ringing信号及び200OK信号を送信する処理がある。呼処理が終了すると、発信端末４０及び中継装置１２の間で呼が確立される（ステップＳ１０４）。中継装置１２の中継制御部１２４は、発信端末４０との間で呼が確立されると、発信端末４０に対して呼び出し中ガイダンス信号を送信する（ステップＳ１０５）。呼び出し中ガイダンス信号は、予め中継装置１２において記憶装置に記録されている信号である。呼び出し中ガイダンス信号は、発信端末４０において再生されることによって音声が出力される。この音声は、例えば発信端末４０のユーザが相手方（着信端末５０のユーザ）の応答を待っている状態であることを認識できるような音声である。例えば、呼び出し中ガイダンス信号は、“ただいま呼び出しております。しばらくお待ち下さい。”という音声を出力するための信号であってもよい。呼び出し中ガイダンス信号は、所定のタイミングまで（例えば発信端末４０と着信端末５０との間で呼が確立されるまで）継続して送信されてもよい。
【００３８】
中継装置１２の中継制御部１２４は、ステップＳ１０２において受信された発呼信号の発呼先となっている電話番号（中継用電話番号）を取得する。中継制御部１２４は、取得された中継用電話番号に対応付けられた発番号を、接続先テーブルから読み出す。中継装置１２のメッセージ制御部１２６は、取得された発番号に対して送信される通知メッセージを生成する（ステップＳ１０６）。メッセージ制御部１２６は、生成された通知メッセージを、中継制御部１２４によって取得された発番号宛（着信端末５０宛）に送信する（ステップＳ１０７）。
【００３９】
着信端末５０は、中継装置１２から通知メッセージを受信すると、受信された通知メッセージの内容を自装置の画面に表示する（ステップＳ１０８）。着信端末５０のユーザは、表示された通知メッセージの内容（特に発信端末４０の電話番号）に応じて、発信端末４０による発呼に応じるか否か判断する。着信端末５０のユーザは、発信端末４０による発呼に応じると判断した場合、中継装置１２に対して発呼することを着信端末５０に指示する（ステップＳ１０９）。このような指示は、例えば画面に表示されたリンクを選択操作することによって行われてもよい。着信端末５０は、ユーザの指示に応じて、中継用電話番号に対して発呼信号を送信する（ステップＳ１１０）。この発呼信号には、例えば発信端末４０の電話番号を示す情報が含まれてもよい。この発呼信号には、例えば発信端末４０の識別情報（例えば電話番号）と、発信端末４０との呼を接続することを示す制御情報が含まれてもよい。
【００４０】
中継装置１２の中継制御部１２４は、着信端末５０から発呼信号を受信すると、着信端末５０と発信端末４０との間の呼を確立するための処理（呼処理）を実行する（ステップＳ１１１）。中継制御部１２４は、呼を確立する対象となる発信端末４０及び着信端末５０をどのような処理によって判定してもよい。例えば、ステップＳ１０２において受信された発呼信号に含まれる発信端末４０及び中継用電話番号の組み合わせと、ステップＳ１１０において受信された発呼信号に含まれる着信端末５０の電話番号と、接続先テーブルと、に基づいて判定されてもよい。例えば、ステップＳ１１０において受信された発呼信号に含まれる制御情報に基づいて判定されてもよい。中継制御部１２４が呼処理を実行することによって、発信端末４０と着信端末５０との間で呼が確立される（ステップＳ１１２）。この後、発信端末４０のユーザと着信端末５０のユーザとは通話を行うことが可能となる。録音装置１１の録音部１１５は、発信端末４０と着信端末５０との間で行われる通話の音声を録音する（ステップＳ１１３）。
【００４１】
このように構成された中継システム１０では、発信端末４０と着信端末５０との間で中継される通話の音声を録音装置１１において録音することができる。また、発信端末４０から発呼された際に、呼を確立する前に着信端末５０に対して発信端末４０の電話番号を通知することが可能である。着信端末５０のユーザは、着信端末５０において発信端末４０の電話番号に基づいて呼を確立させるか否かについて判断することが可能となる。
【００４２】
＜変形例＞
中継制御部１２４は、ステップＳ１０７において着信端末５０に対して通知メッセージを送信した後に所定の時間が経過しても着信端末５０から発呼信号が受信されない場合、着信端末５０に対して発呼してもよい。中継制御部１２４は、発呼の後、例えばいわゆるワン切りのように着信を残して呼を切断してもよい。この場合、着信端末５０のユーザが着信に応じた音や振動などの着信動作によって着信端末５０に注目し、通知メッセージの存在に気がつく可能性が高まる。中継制御部１２４は、発呼の後、着信端末５０との間で呼を確立し、予め定められた音声メッセージを着信端末５０に送信してもよい。予め定められた音声メッセージは、例えば通知メッセージの確認を促すための音声メッセージであってもよい。例えば、“（発信者電話番号）から着信がありました。この着信について通知メッセージを送信しましたのでご確認下さい。”という音声メッセージであってもよい。このような音声メッセージが送信されることによって、着信端末５０のユーザが通知メッセージの存在に気がつく可能性が高まる。予め定められた音声メッセージは、例えば発信端末４０との間で呼を確立することを促すための音声メッセージであってもよい。例えば、“（発信者電話番号）から着信がありました。この着信に応答する場合このままお待ち下さい。この着信に応答しない場合、電話を切って下さい。”という音声メッセージであってもよい。この場合、中継制御部１２４は、音声メッセージを送信してから所定の時間（例えば数秒、５秒、１０秒など）が経過してもなお中継装置１２と着信端末５０との間で呼が確立したままである場合、発信端末４０と着信端末５０の間で呼を確立してもよい。
【符号の説明】
【００４３】
１０…中継システム，  １１…録音装置，  １２…中継装置，  ２０…公衆交換電話網，  ３０…移動体通信網，  ４０…発信端末，  ５０…着信端末，  １１１…第一通信部，  １１２…第二通信部，  １１３…中継部，  １１４…記憶部，  １１５…録音部，  １２１…第一通信部，  １２２…第二通信部，  １２３…接続先記憶部，  １２４…中継制御部，  １２５…メッセージ記憶部，  １２６…メッセージ制御部
【図１】
2018026770.tif 000003
【図２】
2018026770.tif 000004
【図３】
2018026770.tif 000005
【図４】
2018026770.tif 000006
【図５】
2018026770.tif 000007
【図６】
2018026770.tif 000008
【図７】
2018026770.tif 000009